(57)【要約】【課題】コネクタの小型化および取り付け対象への実装性の確保を両立しつつも、特性インピーダンスの整合が取り易く、高速信号伝送特性に優れたコネクタおよびこれを用いた信号伝送方法を提供すること。【解決手段】２本の高速差動信号伝送用の第１コンタクト３１と、２本のグランド用コンタクト３２と、から構成される高速差動信号レーン３０を複数備え、複数の高速差動信号レーン３０の間には、高速差動信号レーン３０に属さない第２コンタクト４０が配置され、第１の接続側では、コンタクト３１、３２、４０の接触部３１ａ、３２ａ、４０ａが、間隔をおいて一列に配置され、第２の接続側では、第１コンタクト３１の端子部３１ｂとグランド用コンタクト３２の端子部３２ｂとが、接触部３１ａ、３２ａ、４０ａ間の間隔より広い間隔をおいて第１の列Ｒ１に配置され、第２コンタクト４０の端子部４０ｂが、第２の列Ｒ２に配置されるコネクタ１。【選択図】図３
2014157790.tif 000002
【特許請求の範囲】
【請求項１】
取付対象に搭載されて接続相手と接続するコネクタであって、
隣接して配置される２本の高速差動信号伝送用の第１コンタクトと、前記２本の第１コンタクトを挟んで前記２本の第１コンタクトの両側に１本ずつ配置される計２本のグランド用コンタクトと、から構成される高速差動信号レーンを複数備え、
前記複数の高速差動信号レーンの間には、前記高速差動信号レーンに属さない、少なくとも１本の第２コンタクトが配置され、
前記第１コンタクトと前記グランド用コンタクトと前記第２コンタクトとは、それぞれ、前記接続相手に接続するための接触部と、前記取付対象に接続するための端子部とを有し、
前記接続相手に接続するための第１の接続側では、前記第１コンタクトの前記接触部と前記グランド用コンタクトの前記接触部と前記第２コンタクトの前記接触部とが、間隔をおいて一列に配置され、
前記取付対象に接続するための第２の接続側では、前記第１コンタクトの前記端子部と前記グランド用コンタクトの前記端子部とが、前記接触部間の間隔より広い間隔をおいて第１の列に配置されるとともに、前記第２コンタクトの前記端子部が、前記第１の列とは異なる第２の列に配置されることを特徴とするコネクタ。
【請求項２】
取付対象に搭載されて接続相手と接続するコネクタであって、
隣接して配置される２本の第１コンタクトと、前記２本の第１コンタクトを挟んで前記２本の第１コンタクトの両側に１本ずつ配置される計２本のグランド用コンタクトとから構成される高速差動信号レーンを複数備え、
前記複数の高速差動信号レーンの間には、それぞれ、少なくとも１本の第２コンタクトが配置され、
前記第１コンタクトと前記グランド用コンタクトと前記第２コンタクトとは、それぞれ、前記接続相手に接続するための接触部と、前記取付対象に接続するための端子部とを有し、
前記第１コンタクトは、前記第１コンタクトの前記接触部から前記端子部までの長さをＬとした場合に、Ｌ＞（λ／２０）となる波長λに相当する周波数成分を含む高速電気信号を伝送するためのコンタクトであり、
前記第２コンタクトは、前記第２コンタクトの前記接触部から前記端子部までの長さをＭとした場合に、Ｍ＞（λ／２０）となる波長λに相当する周波数成分を含まない使い方をするコンタクトであり、
前記接続相手に接続するための第１の接続側では、前記第１コンタクトの前記接触部と前記グランド用コンタクトの前記接触部と前記第２コンタクトの前記接触部とが、間隔をおいて一列に配置され、
前記取付対象に接続するための第２の接続側では、前記第１コンタクトの前記端子部と前記グランド用コンタクトの前記端子部とが、前記接触部間の間隔より広い間隔をおいて第１の列に配置されるとともに、前記第２コンタクトの前記端子部が、前記第１の列とは異なる第２の列に配置されることを特徴とするコネクタ。
【請求項３】
前記第２コンタクトを挟んで前記第２コンタクトの両側に配置された前記グランド用コンタクトの前記端子部は、互いに結合されて一体化していることを特徴とする請求項１または請求項２に記載のコネクタ。
【請求項４】
前記第１コンタクトおよび前記グランド用コンタクトは、前記接触部間の間隔から前記端子部間の間隔へ間隔を変更させるための間隔変更部を有し、
前記間隔変更部のコンタクト幅は、前記接触部および前記端子部のコンタクト幅よりも広いことを特徴とする請求項１乃至請求項３のいずれか１項に記載のコネクタ。
【請求項５】
前記各高速差動信号レーンは、前記高速差動信号レーンを構成する前記２本の第１コンタクト間の面を基準として左右対称に構成されていることを特徴とする請求項１乃至請求項４のいずれか１項に記載のコネクタ。
【請求項６】
前記複数の高速差動信号レーンの間には、前記第２コンタクトが複数配置され、
前記高速差動信号レーンの間に配置された前記複数の第２コンタクトは、前記接触部間の間隔より前記端子部間の間隔の方が広くなるように形成されていることを特徴とする請求項１乃至請求項５のいずれか１項に記載のコネクタ。
【請求項７】
前記第１の列と前記第２の列とは、互いに平行であることを特徴とする請求項１乃至請求項６のいずれか１項に記載のコネクタ。
【請求項８】
前記第２コンタクトは、制御信号用コンタクト、電源用コンタクト、グランド用コンタクト、または、前記高速差動信号レーンに属さない信号伝送用のコンタクトであることを特徴とする請求項１乃至請求項７のいずれか１項に記載のコネクタ。
【請求項９】
請求項１乃至請求項８のいずれか１項に記載のコネクタを基板に実装して、高速差動信号伝送を行うことを特徴とする、信号伝送方法。
【発明の詳細な説明】
【技術分野】
【０００１】
本発明は、コネクタおよびこれを用いた信号伝送方法に関し、特に、差動信号対を伝送するラインの接続に使用される差動信号用コネクタ、および、この差動信号用コネクタを用いた信号伝送方法に関する。
【背景技術】
【０００２】
対をなす２本の信号線にそれぞれ逆位相の信号からなる差動信号対を伝送する差動伝送方式が知られている。その差動伝送方式はデータ伝送速度を高速にできるという特徴をもつため、昨今では様々な分野において実用されている。
【０００３】
例えば機器と液晶ディスプレイとの間のデータ伝送に差動伝送方式を用いる場合には、機器および液晶ディスプレイに、ディスプレイポート規格にしたがって設計されたディスプレイポートコネクタを備える。このディスプレイポート規格としては、ＶＥＳＡ  Ｄｉｓｐｌａｙ  Ｐｏｒｔ  ｓｔａｎｄａｒｄ  １．０やそれのＶｅｒｓｉｏｎ  １．１ａが知られている。
【０００４】
このディスプレイポートコネクタは差動信号用コネクタの一種であり、接続相手に接続するための第１の接続側と、機器や液晶ディスプレイのプリント基板に接続するための第２の接続側とを有している。第１の接続側の形態は、接続相手との関係があるためディスプレイポート規格により厳密に定められているが、第２の接続側の形態は、比較的自由である。この種の差動信号用コネクタは特許文献１に開示されている。
【０００５】
この特許文献１のコネクタは、図９に示すように、コネクタを構成する下側コンタクト群として、２本１組で配置された信号用コンタクト１２１を２組備え、信号用コンタクト１２１の各組の両側に、グランド用コンタクト１２２を配置している。
【０００６】
そして、第１の接続側では、図９に示すように、信号用コンタクト１２１の接触部１２１ａおよびグランド用コンタクト１２２の接触部１２２ａが所定の間隔Ｄ１をおいて一列に配置されている。
【０００７】
一方、第２の接続側では、図９に示すように、信号用コンタクト１２１の端子部１２１ｂが第１の列Ｒ１に配置されるとともに、グランド用コンタクト１２２の端子部１２２ｂを第２の列Ｒ２にずらして配置されている。
これは、接触部１２１ａ、１２２ａ間の間隔Ｄ１よりも、端子部１２１ｂ、１２２ｂ間の間隔Ｄ２を広げることで、コネクタの小型化を図りつつも、一定の大きさおよび一定の間隔での配置を必要とするスルーホール（図示しない）への端子部１２１ｂ、１２２ｂの実装性を確保するためである。
【先行技術文献】
【特許文献】
【０００８】
【特許文献１】特許第４４３９５４０号明細書
【発明の概要】
【発明が解決しようとする課題】
【０００９】
ところが、特許文献１に開示されたコネクタでは、信号用コンタクト１２１の端子部１２１ｂとグランド用コンタクト１２２の端子部１２２ｂとが異なる列Ｒ１、Ｒ２に配置され、端子部１２１ｂ、１２２ｂ間の間隔Ｄ２が広いため、端子部１２１ｂ、１２２ｂ付近における特性インピーダンスが他の部分の特性インピーダンスよりも高くなってしまい、特性インピーダンスを整合させるのが難しく、その結果、高速信号伝送（例えば１０Ｇｂｐｓ以上のコネクタおよびコンタクトを分布定数回路として扱うことが妥当と考えられる周波数成分を含む信号の伝送）が困難になるという問題があった。
【００１０】
そこで、本発明は、従来の問題を解決するものであって、すなわち、本発明の目的は、コネクタの小型化および取り付け対象への実装性の確保を両立しつつも、特性インピーダンスの整合が取り易く、高速信号伝送特性に優れたコネクタおよびこれを用いた信号伝送方法を提供することである。
【課題を解決するための手段】
【００１１】
本発明のコネクタは、取付対象に搭載されて接続相手と接続するコネクタであって、隣接して配置される２本の高速差動信号伝送用の第１コンタクト（Ｓ）と、前記２本の第１コンタクトを挟んで前記２本の第１コンタクトの両側に１本ずつ配置される計２本のグランド用コンタクト（Ｇ）と、から構成される高速差動信号レーン（ＧＳＳＧ）を複数備え、前記複数の高速差動信号レーンの間には、前記高速差動信号レーンに属さない、少なくとも１本の第２コンタクトが配置され、前記第１コンタクトと前記グランド用コンタクトと前記第２コンタクトとは、それぞれ、前記接続相手に接続するための接触部と、前記取付対象に接続するための端子部とを有し、前記接続相手に接続するための第１の接続側では、前記第１コンタクトの前記接触部と前記グランド用コンタクトの前記接触部と前記第２コンタクトの前記接触部とが、間隔をおいて一列に配置され、前記取付対象に接続するための第２の接続側では、前記第１コンタクトの前記端子部と前記グランド用コンタクトの前記端子部とが、前記接触部間の間隔より広い間隔をおいて第１の列に配置されるとともに、前記第２コンタクトの前記端子部が、前記第１の列とは異なる第２の列に配置されることにより、前述した課題を解決したものである。
【００１２】
また、本発明の他の態様のコネクタは、取付対象に搭載されて接続相手と接続するコネクタであって、隣接して配置される２本の第１コンタクトと、前記２本の第１コンタクトを挟んで前記２本の第１コンタクトの両側に１本ずつ配置される計２本のグランド用コンタクトとから構成される高速差動信号レーンを複数備え、前記複数の高速差動信号レーンの間には、それぞれ、少なくとも１本の第２コンタクトが配置され、前記第１コンタクトと前記グランド用コンタクトと前記第２コンタクトとは、それぞれ、前記接続相手に接続するための接触部と、前記取付対象に接続するための端子部とを有し、前記第１コンタクトは、前記第１コンタクトの前記接触部から前記端子部までの長さをＬとした場合に、Ｌ＞（λ／２０）となる波長λに相当する周波数成分を含む高速電気信号を伝送するためのコンタクトであり、前記第２コンタクトは、前記第２コンタクトの前記接触部から前記端子部までの長さをＭとした場合に、Ｍ＞（λ／２０）となる波長λに相当する周波数成分を含まない使い方をするコンタクトであり、前記接続相手に接続するための第１の接続側では、前記第１コンタクトの前記接触部と前記グランド用コンタクトの前記接触部と前記第２コンタクトの前記接触部とが、間隔をおいて一列に配置され、前記取付対象に接続するための第２の接続側では、前記第１コンタクトの前記端子部と前記グランド用コンタクトの前記端子部とが、前記接触部間の間隔より広い間隔をおいて第１の列に配置されるとともに、前記第２コンタクトの前記端子部が、前記第１の列とは異なる第２の列に配置されることにより、前述した課題を解決したものである。
【００１３】
前記第２コンタクトを挟んで前記第２コンタクトの両側に配置された前記グランド用コンタクトの前記端子部は、互いに結合されて一体化していてもよい。
【００１４】
前記第１コンタクトおよび前記グランド用コンタクトは、前記接触部間の間隔から前記端子部間の間隔へ間隔を変更させるための間隔変更部を有し、前記間隔変更部のコンタクト幅は、前記接触部および前記端子部のコンタクト幅よりも広くてもよい。
【００１５】
前記各高速差動信号レーンは、前記高速差動信号レーンを構成する前記２本の第１コンタクト間の面を基準として左右対称に構成されていてもよい。
【００１６】
前記複数の高速差動信号レーンの間には、前記第２コンタクトが複数配置され、前記高速差動信号レーンの間に配置された前記複数の第２コンタクトは、前記接触部間の間隔より前記端子部間の間隔の方が広くなるように形成されていてもよい。
【００１７】
前記第１の列と前記第２の列とは、互いに平行であってもよい。
【００１８】
前記第２コンタクトは、制御信号用コンタクト、電源用コンタクト、グランド用コンタクト、または、前記高速差動信号レーンに属さない信号伝送用のコンタクト（例えばＭｂｐｓ程度の信号伝送用コンタクト）であってもよい。
【００１９】
本発明の信号伝送方法は、前記コネクタを基板に実装して、高速差動信号伝送を行うことにより、前述した課題を解決したものである。
【発明の効果】
【００２０】
本発明のコネクタでは、第１コンタクトおよびグランド用コンタクトの端子部を同一の第１の列に配置しつつも、第２コンタクトの端子部を第２の列にずらした分だけ、第１コンタクトおよびグランド用コンタクトの端子部間の間隔を広げることが可能であるため、コネクタの小型化および取り付け対象への実装性の確保を両立しつつも、特性インピーダンスの整合が取り易く、高速信号伝送特性を向上させることができる。
【図面の簡単な説明】
【００２１】
【図１】本発明の第１実施形態であるコネクタの使用態様を示す斜視図である。
【図２】コネクタを分解して示す分解斜視図である。
【図３】下側コンタクト群を示す斜視図である。
【図４】下側コンタクト組立体をプリント基板に搭載した状態を示す斜視図である。
【図５】図４のＡ−Ａ線位置で矢印方向に見て示す断面図である。
【図６】コネクタをプリント基板に搭載した状態を、プリント基板の下面側から見て示す平面図である。
【図７】本発明の第２実施形態であるコネクタに組み込まれる下側コンタクト群を示す斜視図である。
【図８】本発明の第３実施形態であるコネクタの下側コンタクト組立体をプリント基板に搭載した状態を示す断面図であり、図５に対応する断面図である。
【図９】従来のコネクタに組み込まれる下側コンタクト群を示す斜視図である。
【発明を実施するための形態】
【００２２】
以下、本発明のコネクタの実施形態を図面に基づいて説明する。
【００２３】
なお、以下の説明では、各コンタクトを並べて配置する方向を第１の方向Ａ１、第１の方向Ａ１に直交し各コンタクトの長手方向に一致する方向を第２の方向Ａ２、第１の方向Ａ１および第２の方向Ａ２に直交する方向を第３の方向Ａ３として規定する。
【実施例】
【００２４】
本実施形態のコネクタ１は、プリント基板（取付対象）８０に実装され、相手コネクタ（接続相手、図示しない）と嵌合し相手コネクタ（図示しない）に接続されるプリント基板実装型コネクタである。以下の説明においては、相手コネクタ（図示しない）に接続されるコネクタ１の正面側を第１の接続側と称し、プリント基板８０に接続されるコネクタ１の底面側を第２の接続側と称する。
【００２５】
本実施形態で使用されるプリント基板８０は、多層基板である。このプリント基板８０には、図１や図６に示すように、多数のスルーホール８１が形成されている。プリント基板８０の下面８０ｂには、図６に示すように、スルーホール８１の開口の周囲に、ドーナツ状の導体パターンよりなるランド８２がそれぞれ形成されている。また、ランド８２の幾つかから配線パターン８４がプリント基板８０に沿って並列に引き出されている。スルーホール８１の位置や役割については、後文にて明らかにする。
【００２６】
コネクタ１は、図１や図２から分かるように、下側コンタクト組立体（下側コンタクト・アッシーとも称する）１０と、上側コンタクト組立体（上側コンタクト・アッシーとも称する）６０と、下側コンタクト組立体１０および上側コンタクト組立体６０を纏めて囲う導電性のシェル７０とを備える。
【００２７】
上側コンタクト組立体６０は、図２に示すように、複数の導電性のコンタクトから構成される上側コンタクト群６１と、上側コンタクト群６１を保持する絶縁性の上側ハウジング６２とを備える。上側ハウジング６２は、図１や図２に示すように、コネクタ１の第１の接続側において、相手コネクタ（図示しない）と嵌合するための嵌合突起６２ａを有している。上側コンタクト群６１を構成する各コンタクトは、その前端を上側ハウジング６２の嵌合突起６２ａの上部に配列され、さらに後方にのびて下方に直角に曲がり、下端をプリント基板８０の上面８０ａの配線パターン８３にＳＭＴ構造によりはんだ付けされる。
【００２８】
シェル７０は、図１に示すように、プリント基板８０に固定される複数の固定用脚部７１を有している。これらの固定用脚部７１がプリント基板８０に半田付けされることにより、コネクタ１はプリント基板８０に固定される。
【００２９】
つぎに、下側コンタクト組立体１０について、詳細に説明する。
【００３０】
下側コンタクト組立体１０は、図２に示すように、複数の導電性のコンタクト３１、３２、４０から構成される下側コンタクト群２０と、下側コンタクト群２０を整列させた状態で保持する絶縁性の下側ハウジング５０とを備える。
【００３１】
下側コンタクト群２０は、図３に示すように、２組の高速差動信号レーン３０と、２組の高速差動信号レーン３０の間に配置される２本の第２コンタクト４０とから構成される。
【００３２】
各高速差動信号レーン３０は、計４本の導電性のコンタクト３１、３２から構成され、具体的には、図３に示すように、隣接して配置された２本の第１コンタクト３１と、第１コンタクト３１のペアの両側に１本ずつ配置されるグランド用コンタクト３２とから構成される。なお、グランド用コンタクト３２は、グランド専用のコンタクトでなくとも高速差動信号レーン３０を形成する際にグランドと同等の電気的機能を有するコンタクトであればよいので、電源コンタクトでもかまわない。２本の第１コンタクト３１は、高速差動信号（例えば１０Ｇｂｐｓ以上）を伝送するための差動信号ペアを構成している。また、第１コンタクト３１は、第１コンタクト３１のコンタクト寸法（すなわち、接触部３１ａから端子部３１ｂまでの長さ）をＬとした場合に、Ｌ＞（λ／２０）となる波長λに相当する周波数成分を含む高速電気信号を伝送するためのコンタクトである。各高速差動信号レーン３０は、高速差動信号レーン３０の伝送特性を向上するために、高速差動信号レーン３０を構成する２本の第１コンタクト３１間の面（第１の方向Ａ１および第３の方向Ａ３により規定される面）を基準として左右対称に構成されている。
【００３３】
第２コンタクト４０は、高速差動信号レーン３０に属さない（すなわち、高速信号伝送用ではない）コンタクトであり、具体的には、制御信号用コンタクト、電源用コンタクト、グランド用コンタクト、または、高速差動信号レーン３０に属さない信号伝送用のコンタクト（例えばＭｂｐｓ程度の信号伝送用コンタクト）である。第２コンタクト４０は、第２コンタクト４０のコンタクト寸法（すなわち、接触部４０ａから端子部４０ｂまでの長さ）をＭとした場合に、Ｍ＞（λ／２０）となる波長λに相当する周波数成分を含まない使い方をするコンタクトである。なお、本実施形態では、上述した第１コンタクト３１のコンタクト寸法Ｌと、第２コンタクト４０のコンタクト寸法Ｍとは、同じ寸法または略同じ寸法で設計されている。
【００３４】
下側コンタクト群２０を構成する各コンタクト３１、３２、４０は、図３に示すように、相手コネクタ（図示しない）に接続するための接触部３１ａ、３２ａ、４０ａと、プリント基板８０に接続するための端子部３１ｂ、３２ｂ、４０ｂと、接触部３１ａ、３２ａ、４０ａおよび端子部３１ｂ、３２ｂ、４０ｂの間に形成された折り曲げ部３１ｃ、３２ｃ、４０ｃと、折り曲げ部３１ｃ、３２ｃ、４０ｃおよび端子部３１ｂ、３２ｂ、４０ｂの間に形成された間隔変更部３１ｄ、３２ｄ、４０ｄと、を有している。
【００３５】
接触部３１ａ、３２ａ、４０ａは、コネクタ１の第１の接続側において、上側ハウジング６２の嵌合突起６２ａの下部に、相互間に間隔をおいた状態で、第１の方向Ａ１に沿って一列に配置される。
【００３６】
端子部３１ｂ、３２ｂ、４０ｂは、図５に示すように、コネクタ１の第２の接続側において、プリント基板８０のスルーホール８１に挿入され、プリント基板８０の下面８０ｂにおいてランド８２にはんだ付けにより接続される。
【００３７】
第１コンタクト３１およびグランド用コンタクト３２の端子部３１ｂ、３２ｂは、図３に示すように、相互間に間隔をおいた状態で、第１の方向Ａ１に沿った第１の列Ｒ１に配置されている。一方、２本の第２コンタクト４０の端子部４０ｂは、図３に示すように、相互間に間隔をおいた状態で、第１の列Ｒ１から第２の方向Ａ２の後方側にずれた第２の列Ｒ２に配置されている。
【００３８】
折り曲げ部３１ｃ、３２ｃ、４０ｃは、コンタクト３１、３２、４０を直角に折り曲げた部位である。なお、折り曲げ部３１ｃ、３２ｃ、４０ｃの折り曲げ角度は、９０°に限定されない。
【００３９】
第１コンタクト３１およびグランド用コンタクト３２は、図３に示すように、折り曲げ部３１ｃ、３２ｃおよび端子部３１ｂ、３２ｂの間に、間隔変更部３１ｄ、３２ｄを有している。これにより、複数のスルーホール８１間の間隔に合うように、第１コンタクト３１およびグランド用コンタクト３２の端子部３１ｂ、３２ｂ間の間隔を、第１コンタクト３１およびグランド用コンタクト３２の接触部３１ａ、３２ａ間の間隔よりも広げることができる。また、第２コンタクト４０は、図３に示すように、折り曲げ部４０ｃおよび端子部４０ｂの間に、間隔変更部４０ｄを有している。これにより、複数のスルーホール８１間の間隔に合うように、２本の第２コンタクト４０の端子部４０ｂ間の間隔を、２本の第２コンタクト４０の接触部４０ａ間の間隔よりも広げることができる。間隔変更部３１ｄ、３２ｄ、４０ｄのコンタクト幅は、特性インピーダンスを整合させ易くするために、図３に示すように、コンタクト３１、３２、４０の他の部位のコンタクト幅よりも、広く形成されている。
【００４０】
下側ハウジング５０は、下側コンタクト群２０を整列させた状態で保持するものであり、図１に示すように、プリント基板８０に対してコネクタ１を位置決めするための位置決めボス５１を下面に有している。
【００４１】
このようにして得られた本実施形態のコネクタ１では、第１コンタクト３１およびグランド用コンタクト３２の端子部３１ｂ、３２ｂを第１の列Ｒ１に配置するとともに、第２コンタクト４０の端子部４０ｂを第２の列Ｒ２に配置し、第１コンタクト３１およびグランド用コンタクト３２の端子部３１ｂ、３２ｂ間の間隔を、第１コンタクト３１およびグランド用コンタクト３２の接触部３１ａ、３２ａ間の間隔よりも広くしている。
これにより、第１コンタクト３１およびグランド用コンタクト３２の端子部３１ｂ、３２ｂを同一の第１の列Ｒ１に配置しつつも、第２コンタクト４０の端子部４０ｂを第２の列Ｒ２にずらした分だけ、第１コンタクト３１およびグランド用コンタクト３２の端子部３１ｂ、３２ｂ間の間隔を広げることができる。
その結果、コネクタ１の小型化およびプリント基板８０への実装性の確保を両立しつつも、第１コンタクト３１およびグランド用コンタクト３２の特性インピーダンスの整合が取り易くなり、高速信号伝送特性を向上させることができる。
【００４２】
つぎに、本発明の第２実施形態について、図７に基づいて以下に説明する。なお、以下では、第１実施形態との間の相違点のみを説明し、第１実施形態と同様の機能を有する構成部材には、第１実施形態と同一の参照符号を付している。
【００４３】
本発明の第２実施形態においては、図７に示すように、第２コンタクト４０のペアを挟んで第２コンタクト４０のペアの両側に配置されたグランド用コンタクト３２の端子部３２ｂが、互いに結合されて一体化している。
【００４４】
このようにして得られた第２実施形態では、２本のグランド用コンタクト３２を１つの部材にすることで、部品点数が低減するとともに、グランド用コンタクト３２の端子部３２ｂを挿入するためのプリント基板８０のスルーホール８１の数量も低減し、プリント基板８０への実装時におけるはんだ付け回数も低減するため、コネクタ１の製造および組み付けに係る負担を低減できる。
【００４５】
つぎに、本発明の第３実施形態について、図８に基づいて以下に説明する。なお、以下では、第１実施形態との間の相違点のみを説明し、第１実施形態と同様の機能を有する構成部材には、第１実施形態と同一の参照符号を付している。
【００４６】
本発明の第３実施形態においては、図８に示すように、第２コンタクト４０のペアを挟んで第２コンタクト４０のペアの両側に配置されたグランド用コンタクト３２の端子部３２ｂが、プリント基板８０の共通のスルーホール８１に挿入されている。
【００４７】
このようにして得られた第３実施形態では、グランド用コンタクト３２の端子部３２ｂを挿入するためのプリント基板８０のスルーホール８１の数量が低減し、プリント基板８０への実装時におけるはんだ付けの回数も低減するため、コネクタ１の製造および組み付けに係る負担を低減できる。
【００４８】
なお、上述した実施形態では、２本の第１コンタクトおよび２本のグランド用コンタクトから構成される高速差動信号レーンを２組配置するものとして説明した。しかしながら、高速差動信号レーンの組数は３組以上配置してもよく、この場合も、各高速差動信号レーンの間に第２コンタクトを配置すればよい。
【００４９】
また、上述した実施形態では、各高速差動信号レーンの間に配置される第２コンタクトの数が２本であるものとして説明したが、各高速差動信号レーンの間に配置される第２コンタクトの数は、１本以上であれば如何なるものでもよい。
【００５０】
また、上述した本実施形態では、第１コンタクトおよびグランド用コンタクトの端子部が、第２コンタクトの端子部を配置した第２の列よりも第２の方向の前方側の第１の列に配置されるものとして説明したが、反対に、第１コンタクトおよびグランド用コンタクトの端子部を、第２コンタクトの端子部より第２の方向の後方側に配置してもよい。
【符号の説明】
【００５１】
１    ・・・  コネクタ
１０    ・・・  下側コンタクト組立体
２０    ・・・  下側コンタクト群
３０    ・・・  高速差動信号レーン
３１    ・・・  第１コンタクト
３１ａ  ・・・  接触部
３１ｂ  ・・・  端子部
３１ｃ  ・・・  折り曲げ部
３１ｄ  ・・・  間隔変更部
３２    ・・・  グランド用コンタクト
３２ａ  ・・・  接触部
３２ｂ  ・・・  端子部
３２ｃ  ・・・  折り曲げ部
３２ｄ  ・・・  間隔変更部
４０    ・・・  第２コンタクト
４０ａ  ・・・  接触部
４０ｂ  ・・・  端子部
４０ｃ  ・・・  折り曲げ部
４０ｄ  ・・・  間隔変更部
５０    ・・・  下側ハウジング
５１    ・・・  位置決めボス
６０    ・・・  上側コンタクト組立体
６１    ・・・  上側コンタクト群
６２    ・・・  上側ハウジング
６２ａ  ・・・  嵌合突起
７０    ・・・  シェル
７１    ・・・  固定用脚部
８０    ・・・  プリント基板（取付対象物）
８０ａ  ・・・  上面
８０ｂ  ・・・  下面
８１    ・・・  スルーホール
８２    ・・・  ランド
８３    ・・・  配線パターン
８４    ・・・  配線パターン
Ｒ１    ・・・  第１の列
Ｒ２    ・・・  第２の列
Ａ１    ・・・  第１の方向
Ａ２    ・・・  第２の方向
Ａ３    ・・・  第３の方向
【図１】
2014157790.tif 000003
【図２】
2014157790.tif 000004
【図３】
2014157790.tif 000005
【図４】
2014157790.tif 000006
【図５】
2014157790.tif 000007
【図６】
2014157790.tif 000008
【図７】
2014157790.tif 000009
【図８】
2014157790.tif 000010
【図９】
2014157790.tif 000011